(57)【要約】【課題】通信装置の記憶装置で受信した内容を、別の通信装置やコンピュータで受信することにより、通信装置に付属する記憶装置の容量を有効利用することのできる画像通信装置を提供することを目的とする。【解決手段】電話回線を経由してファクシミリ通信を行う通信装置であって、受信画像及びそれに付随する受信時間及び送信者に関する付随情報を蓄積可能なメモリ１６を備えた通信装置において、メモリ１６に蓄積された受信画像及び付随情報を、電話回線や通信網を介して外部の通信装置やコンピュータに対して送信する機能を備えたものであり、通信装置に付属するメモリ１６に蓄積された内容を選択的に消去することができ、メモリ１６の容量を有効利用することができるという利点がある。これにより、メモリ１６の容量をむやみに大きくする必要がなくなる。【選択図】図２
2005203839.tif 000002
【特許請求の範囲】
【請求項１】
電話回線を経由してファクシミリ通信を行う通信装置であって、受信画像及びそれに付随する受信時間及び送信者に関する付随情報を蓄積可能な記憶装置を備えた通信装置において、前記記憶装置に蓄積された受信画像及び付随情報を、電話回線を介して外部の通信装置に対し、画像により送信する機能を備えたことを特徴とする画像通信装置。
【請求項２】
前記受信画像の画像送信とともに、前記付随情報を、音声信号により前記外部の通信装置に対して送信する機能を備えた請求項１記載の画像通信装置。
【請求項３】
前記受信画像をその通信装置より設定された縮小率にて縮小した画像及び受信時間及び送信者情報の一覧情報を、前記外部の通信装置に送信する機能を備えた請求項１記載の画像通信装置。
【請求項４】
電話回線を経由した通信により前記外部の通信装置からの通知を受けたときに、受信画像及び当該受信画像に付随した受信時間、送信者情報を蓄積した記憶装置の中から、指定した情報のみを選択する機能を備えた請求項１から３のいずれかの項に記載の画像通信装置。
【請求項５】
前記記憶装置に記憶された受信内容の中から、前記外部の通信装置により選択された内容を、当該外部の通信装置に画像にて送信する機能を備えた請求項４記載の画像通信装置。
【請求項６】
ファクシミリ受信モードとして、
前記通信装置に付属する記憶装置で受信、
その場で用紙に記録、
というモードから選択することが可能であり、そのモードの選択は当該通信装置、前記外部の通信装置、前記通信装置とインターフェースで接続された外部のコンピュータのいずれかからの設定が可能である請求項１から５のいずれかの項に記載の画像通信装置。
【請求項７】
前記通信装置に付属する記憶装置で受信するモードの場合、当該通信装置の操作パネル、表示装置、モータや印字系への電源供給をオフし、消費電力を低減するモードをもつ請求項６記載の画像通信装置。
【請求項８】
電話回線を経由してファクシミリ通信を行う通信装置であって、受信画像及びそれに付随する受信時間及び送信者に関する付随情報を蓄積可能な記憶装置を備えた通信装置において、前記記憶装置に蓄積された受信画像及び付随情報を、インターフェースを経由して接続されたコンピュータに対して送信する機能を備えたことを特徴とする画像通信装置。
【請求項９】
前記通信装置に付属する記憶装置に蓄積された受信画像及び前記付随情報を、電源がオン状態の前記インターフェースを経由して接続されたコンピュータに定期的に送信するとともに、当該コンピュータの外部記憶装置にバックアップする機能を備えた請求項８記載の画像通信装置。
【請求項１０】
前記通信装置自体または前記コンピュータから、前記通信装置に付属する記憶装置の内容を前記インターフェースを経由して接続されたコンピュータの外部記憶装置にバックアップするかバックアップしないかを設定するモードを備え、バックアップするモードにした場合は、所定の時間おきにバックアップする機能を当該コンピュータに持たせ、その設定時間を、ネットワーク経由で接続された外部のコンピュータより変更する機能を備えた請求項８記載の画像通信装置。
【請求項１１】
前記通信装置の記憶装置の内容及び前記インターフェースを経由して接続されたコンピュータの外部記憶装置にバックアップした内容を、前記インターフェースを経由して接続したコンピュータ及び前記ネットワークを経由して接続されたコンピュータから閲覧することができる機能を備えた請求項８記載の画像通信装置。
【請求項１２】
前記通信装置がファクシミリ受信を完了した際に、前記インターフェースを経由して接続されたコンピュータ及びそのコンピュータにネットワークを経由して接続されたコンピュータに対して受信完了通知を発信する機能を備えた請求項８記載の画像通信装置。
【請求項１３】
前記受信完了通知を発信する宛先を、前記インターフェースを経由して接続されたコンピュータにより設定する機能を備えた請求項１２記載の画像通信装置。
【請求項１４】
前記インターフェースを経由して接続されたコンピュータとネットワークを経由して接続されたコンピュータに対し、受信した内容を画像にて送信する機能を備え、また、前記いずれかのコンピュータから、当該画像を転送するかどうかを設定する機能を備えた請求項８記載の画像通信装置。
【請求項１５】
前記通信装置で受信した画像を印刷するモードと当該通信装置に付属した記憶装置で受信するモードとを備え、前記記憶装置で受信するモードに設定したとき、前記インターフェースを経由して接続されたコンピュータを電源オフ状態で使用する際に、当該コンピュータのアプリケーションにより１日のうち前記アプリケーションで設定した回数ないし設定した時間、前記コンピュータを起動させ、自動的に前記記憶装置の内容を前記コンピュータへバックアップする機能を持たせ、かつ、一定の処理を終了した後、前記コンピュータを自動的に電源オフとなるように設定する機能を持たせた請求項８記載の画像通信装置。
【請求項１６】
前記バックアップした受信画像及び送信者情報、受信時間を、前記コンピュータから、インターネットを経由して電子メールにより、指定したアドレスに送信する機能を備えた請求項１５記載の画像通信装置。
【請求項１７】
前記インターフェースを経由して接続されたコンピュータが、あらかじめ、当該コンピュータのアプリケーションで指定した情報と受信した送信者情報が合致するものを選択し、インターネットを経由して電子メールにて送信する機能を備えた請求項１６記載の画像通信装置。
【請求項１８】
前記インターフェースを経由して接続されたコンピュータから送信された電子メールを受信する電子メール受信端末から、前記コンピュータのアプリケーションにて決められたメールの件名かつ特定のフォーマットの内容で、前記コンピュータ宛に送信することにより、当該コンピュータの転送内容の設定、受信モードの変更、コンピュータ起動回数、時間の変更等の設定内容の変更が可能なアプリケーションが動作する機能を備えた請求項１５記載の画像通信装置。
【発明の詳細な説明】
【技術分野】
【０００１】
本発明は、ファクシミリの内蔵メモリで受信した内容を外部から確認することのできる画像通信装置に関するものである。
【背景技術】
【０００２】
従来、遠隔地から受信済みのファクシミリの受信状況及び受信内容を確認できる通信装置（以下、ＦＡＸともいう）として、例えば、（特許文献１）に開示されたものがある。
【０００３】
これは、受信したファクシミリ情報から、送信元、受信日時、及び受信枚数についての情報と、受信内容のうち文字情報をテキストデータに変換する手段と、前記情報と変換されたテキストデータと受信したイメージデータを記憶するメモリ手段とを備えたＦＡＸであり、外部の電話機からの要求に応じて、前記情報のうち必要なものを合成音声で送信する機能を備えている。
【０００４】
また、従来より、印刷用紙切れによって、メモリ受信に切り替わった場合、接続したパーソナルコンピュータの画面上で、メモリで受信したファクシミリの内容を確認できるようにしたＦＡＸが提案されている（例えば、特許文献２参照）。
【特許文献１】特開平１０−１６４３４４号公報
【特許文献２】特開２０００−１２５０６３号公報
【発明の開示】
【発明が解決しようとする課題】
【０００５】
前掲の（特許文献１）に開示されたＦＡＸでは、外部の電話機から受信できるのは合成音声に変換できるテキスト情報のみであり、テキスト情報に変換できない手書き文字や図形などのイメージデータは入手できないという問題がある。また、テキスト情報を音声で聞いても、人間の記憶に限界があるため、メモをしたり、何度も聞き直したりして記録する必要があり、面倒である。
【０００６】
また、前掲の（特許文献２）に開示されたＦＡＸでは、用紙切れ発生後の内容をＦＡＸに付属のデータ記憶部に保存し、その後パーソナルコンピュータ（以下、ＰＣという）の電源が投入されたときに、データ記憶部に保存されていたファクシミリ画像や付随データをＰＣの画面上に表示するようにしたものであるが、保存できるファクシミリデータの枚数は、ＦＡＸに付属の記憶装置（以下、メモリともいう）の容量に依存するので、メモリが一杯になるとＰＣに表示することができないという問題がある。
【０００７】
特に、家庭用のＦＡＸでは、コストの面で大容量のメモリを備えることができないので、メモリがすぐに一杯になる。さらに、最近では、家庭用として、カラーファクシミリも出回っており、その場合、カラー情報が伴うので、メモリに蓄積できる枚数は極端に少なくなる。
【０００８】
本発明は、通信装置（ＦＡＸ）の記憶装置で受信した内容を、別の通信装置やＰＣで受信することにより、通信装置に付属する記憶装置の容量を有効利用することのできる画像通信装置を提供することを目的とするものである。
【課題を解決するための手段】
【０００９】
本発明は、受信画像及びそれに付随する受信時間及び送信者に関する付随情報を蓄積可能な記憶装置を備えた通信装置において、記憶装置に蓄積された受信画像及び付随情報を
、外部の通信装置やコンピュータに対して送信する機能を備えたことを主要な特徴とする。
【発明の効果】
【００１０】
本発明の通信装置は、記憶装置に蓄積された受信画像及び付随情報を外部の通信装置やコンピュータに対して送信することにより、通信装置に付属する記憶装置に蓄積された内容を選択的に消去することができ、記憶装置の容量を有効利用することができるという利点がある。これにより、記憶装置の容量をむやみに大きくする必要がなく、カラーファクシミリ等にも有効に利用することができる。
【発明を実施するための最良の形態】
【００１１】
本発明は、通信装置に付属する記憶装置の容量を有効利用することのできる通信装置を提供するという目的を、記憶装置に蓄積された受信画像及び付随情報を、外部の通信装置やコンピュータに対して送信することにより実現した。
【００１２】
上記課題を解決するためになされた第１の発明は、電話回線を経由してファクシミリ通信を行う通信装置であって、受信画像及びそれに付随する受信時間及び送信者に関する付随情報を蓄積可能な記憶装置を備えた通信装置において、上記記憶装置に蓄積された受信画像及び付随情報を、電話回線を介して外部の通信装置に対し、画像により送信する機能を備えたことを特徴とする画像通信装置としたものであり、画像を送信した後は、記憶装置に蓄積された画像を選択的に消去して、記憶装置の容量を有効利用することができるという効果を有する。なお、記憶装置としては、通信装置の内部記憶装置、外部記憶装置のいずれでもいい。
【００１３】
上記課題を解決するためになされた第２の発明は、上記受信画像の画像送信とともに、上記付随情報を、音声信号により外部の通信装置に対して送信する機能を備えた画像通信装置としたものであり、音声信号に基づいて、選択的な画像の受信を行うことができるという効果を有するものである。
【００１４】
上記課題を解決するためになされた第３の発明は、上記受信画像をその通信装置より設定された縮小率にて縮小した画像及び受信時間及び送信者情報の一覧情報を、上記外部の通信装置に送信する機能を備えた画像通信装置としたものであり、一覧情報に基づいて、選択的な画像の受信を行うことができるという効果を有するものである。
【００１５】
上記課題を解決するためになされた第４の発明は、電話回線を経由した通信により上記外部の通信装置からの通知を受けたときに、受信画像及び当該受信画像に付随した受信時間、送信者情報を蓄積した記憶装置の中から、指定した情報のみを選択する機能を備えた画像通信装置としたものであり、外部の通信装置で、必要な情報のみを受信することができるという効果を有するものである。
【００１６】
上記課題を解決するためになされた第５の発明は、上記記憶装置に記憶された受信内容の中から、上記外部の通信装置により選択された内容を、当該外部の通信装置に画像にて送信する機能を備えた画像通信装置としたものであり、外部の通信装置により、必要な画像のみを受信することができるという効果を有するものである。
【００１７】
上記課題を解決するためになされた第６の発明は、ファクシミリ受信モードとして、上記通信装置に付属する記憶装置で受信、その場で用紙に記録、というモードから選択することが可能であり、そのモードの選択は当該通信装置、上記外部の通信装置、上記通信装置とインターフェースで接続された外部のコンピュータのいずれかからの設定が可能である画像通信装置としたものであり、自宅にいる場合は、その場でファクシミリの内容を用
紙に印刷することができるし、用紙に印刷するモードで外出したときなど、外部から記憶装置への受信モードに切り換えることができるという効果を有するものである。
【００１８】
上記課題を解決するためになされた第７の発明は、上記通信装置に付属する記憶装置で受信するモードの場合、当該通信装置の操作パネル、表示装置、モータや印字系への電源供給をオフし、消費電力を低減するモードをもつ画像通信装置としたものであり、必要な機能を果たす部分だけに電力を供給することで、省電力を図ることができるという効果を有するものである。
【００１９】
上記課題を解決するためになされた第８の発明は、電話回線を経由してファクシミリ通信を行う通信装置であって、受信画像及びそれに付随する受信時間及び送信者に関する付随情報を蓄積可能な記憶装置を備えた画像通信装置において、上記記憶装置に蓄積された受信画像及び付随情報を、インターフェースを経由して接続されたコンピュータに対して送信する機能を備えたことを特徴とする画像通信装置としたものであり、受信したコンピュータの記憶装置で受信画像及び付随情報を保存できるという効果を有するものである。
【００２０】
上記課題を解決するためになされた第９の発明は、上記通信装置に付属する記憶装置に蓄積された受信画像及び上記付随情報を、電源がオン状態の上記インターフェースを経由して接続されたコンピュータに定期的に送信するとともに、当該コンピュータの外部記憶装置にバックアップする機能を備えた画像通信装置としたものであり、通信装置に付属する記憶装置の容量が少なくなる前にバックアップすることができるという効果を有するものである。
【００２１】
上記課題を解決するためになされた第１０の発明は、上記通信装置自体または上記コンピュータから、上記通信装置に付属する記憶装置の内容を上記インターフェースを経由して接続されたコンピュータの外部記憶装置にバックアップするかバックアップしないかを設定するモードを備え、バックアップするモードにした場合は、所定の時間おきにバックアップする機能を当該コンピュータに持たせ、その設定時間を、ネットワーク経由で接続された外部のコンピュータより変更する機能を備えた画像通信装置としたものであり、遠隔からのモード切替が可能となるという効果を有するものである。
【００２２】
上記課題を解決するためになされた第１１の発明は、上記通信装置の記憶装置の内容及び上記インターフェースを経由して接続されたコンピュータの外部記憶装置にバックアップした内容を、上記インターフェースを経由して接続したコンピュータ及び上記ネットワークを経由して接続されたコンピュータから閲覧することができる機能を備えた画像通信装置としたものであり、閲覧により、保存必要な情報か、消去していい情報かを判断することができるという効果を有するものである。
【００２３】
上記課題を解決するためになされた第１２の発明は、上記通信装置がファクシミリ受信を完了した際に、上記インターフェースを経由して接続されたコンピュータ及びそのコンピュータにネットワークを経由して接続されたコンピュータに対して受信完了通知を発信する機能を備えた画像通信装置としたものであり、受信完了後に、閲覧が可能となる状態となったことを知ることができるという効果を有するものである。
【００２４】
上記課題を解決するためになされた第１３の発明は、上記受信完了通知を発信する宛先を、上記インターフェースを経由して接続されたコンピュータにより設定する機能を備えた画像通信装置としたものであり、別の宛先に送信したい場合の遠隔設定が可能となるという効果を有するものである。
【００２５】
上記課題を解決するためになされた第１４の発明は、上記インターフェースを経由して
接続されたコンピュータとネットワークを経由して接続されたコンピュータに対し、受信した内容を画像にて送信する機能を備え、また、上記いずれかのコンピュータから、当該画像を転送するかどうかを設定する機能を備えた画像通信装置としたものであり、画像転送が不要な場合は、送らないように遠隔操作することができるという効果を有するものである。
【００２６】
上記課題を解決するためになされた第１５の発明は、上記通信装置で受信した画像を印刷するモードと当該通信装置に付属した記憶装置で受信するモードとを備え、上記記憶装置で受信するモードに設定したとき、上記インターフェースを経由して接続されたコンピュータを電源オフ状態で使用する際に、当該コンピュータのアプリケーションにより１日のうち上記アプリケーションで設定した回数ないし設定した時間、上記コンピュータを起動させ、自動的に上記記憶装置の内容を上記コンピュータへバックアップする機能を持たせ、かつ、一定の処理を終了した後、上記コンピュータを自動的に電源オフとなるように設定する機能を持たせた画像通信装置としたものであり、受信するコンピュータの電源がオフの場合でも、自動起動して受信することができるという効果を有するものである。
【００２７】
上記課題を解決するためになされた第１６の発明は、上記バックアップした受信画像及び送信者情報、受信時間を、上記コンピュータから、インターネットを経由して電子メールにより、指定したアドレスに送信する機能を備えた画像通信装置としたものであり、電子メールを受信した端末において、すぐに開くべき情報か、あとで開くべき情報かを判断でき、また他のメールアドレスに転送することもできるという効果を有するものである。
【００２８】
上記課題を解決するためになされた第１７の発明は、上記インターフェースを経由して接続されたコンピュータが、あらかじめ、当該コンピュータのアプリケーションで指定した情報と受信した送信者情報が合致するものを選択し、インターネットを経由して電子メールにて送信する機能を備えた画像通信装置としたものであり、予め設定した必要な情報のみを受け取り、予定していない情報は受信端末では受け取らないようにすることができるという効果を有するものである。
【００２９】
上記課題を解決するためになされた第１８の発明は、上記インターフェースを経由して接続されたコンピュータから送信された電子メールを受信する電子メール受信端末から、上記コンピュータのアプリケーションにて決められたメールの件名かつ特定のフォーマットの内容で、上記コンピュータ宛に送信することにより、当該コンピュータの転送内容の設定、受信モードの変更、コンピュータ起動回数、時間の変更等の設定内容の変更が可能なアプリケーションが動作する機能を備えた画像通信装置としたものであり、電子メール受信端末からの設定や変更の遠隔操作ができるという効果を有するものである。
【００３０】
（実施の形態１）
以下、本発明の実施の形態について、各図に基づいて説明する。
【００３１】
図１は本発明の実施の形態１に係る通信装置（以下、ＦＡＸという）の構成を示すブロック図、図２はＦＡＸの基本構成を示す機能ブロック図、図３は本実施の形態１の動作を示すフローチャートである。
【００３２】
図１において、本実施の形態１に係るＦＡＸは、自宅設置のメモリ受信機能付きＦＡＸ１０と、交換局２０を有する一般電話回線によってＦＡＸ１０と接続される外部のＦＡＸ３０とよりなっている。
【００３３】
自宅設置のＦＡＸ１０は、図２に示すように、原稿を読み取るスキャナ１１と、読み取った画像を２値化信号に変換する画像信号処理装置１２と、各信号の演算処理を行うＣＰ
Ｕ（中央処理装置）１３と、一般電話回線との送受信制御を行う回線制御部１４と、スキャナ１１で読み取った画像信号を一時保存するための送信画像メモリ１５と、外部から受信したＦＡＸデータを保存するための受信画像メモリ１６と、ＦＡＸの基本設定情報や各種設定情報を記憶する各種設定メモリ１７と、ＦＡＸ受信した画像やスキャナ１１で読み取った画像、あるいは外部のＰＣからのプリント指示により印刷を行う印字装置１８と、外部のＰＣとの接続を行うＵＳＢ（Ｕｎｉｖｅｒｓａｌ  Ｓｅｒｉａｌ  Ｂｕｓ）等の外部インターフェース１９とを備えている。このほかにも、ディスプレイやキーボード等の入出力装置を有しているが、ここでは省略している。
【００３４】
この実施の形態１における動作を、図３のフローチャートの各ステップにしたがって説明する。
Ｓ１０：まず、外出前にＦＡＸ１０をメモリ受信モードにする。この操作は、外出先のＦＡＸ３０あるいは電話から、トーンモードによる操作でメモリ受信モードに設定することも可能である。
Ｓ２０：外出中に、１回目のＦＡＸ受信があると、ＦＡＸ１０の受信画像メモリ１６にその情報が登録、保存される。そのときの登録名を「登録Ｎｏ．１」、付随情報を「送信者：ＡＢＣ、電話番号：１２３４５６７８」として受信画像メモリ１６に画像情報が保存される。
Ｓ３０：２回目のＦＡＸ受信があると、同様に、登録名を「登録Ｎｏ．２」、付随情報を「送信者：ＤＥＦ、電話番号：２３４５６７８９」として受信画像メモリ１６に画像情報が保存される。
Ｓ４０：３回目のＦＡＸ受信があると、同様に、登録名を「登録Ｎｏ．３」、付随情報を「送信者：ＧＨＩ、電話番号：３４５６７８９０」として受信画像メモリ１６に画像情報が保存される。
Ｓ５０：４回目のＦＡＸ受信があると、同様に、登録名を「登録Ｎｏ．４」、付随情報を「送信者：ＪＫＬ、電話番号：４５６７８９０１」として受信画像メモリ１６に画像情報が保存される。
Ｓ６０：以上により、ＦＡＸ１０の受信画像メモリ１６には、４件分の情報が記録されたことになる。
Ｓ７０：この時点で、外出先のＦＡＸ３０からＦＡＸ１０宛に電話を掛けると、ＦＡＸ１０はその発呼を着信する。
Ｓ８０：ＦＡＸ１０では、「ただいま留守にしています。ご用のある方は、発信音に続いてメッセージを言って下さい。ファクシミリの方は発信ボタンを押して下さい。・・・・・」といった音声ガイダンスが流れるので、ＦＡＸ３０から予め設定しておいた暗証番号を入力する。
Ｓ９０：ＦＡＸ１０から、「メモリ受信件数通知、音声、画像のどちらで送信内容を通知しますか」という音声ガイダンスが流れるので、ＦＡＸ３０から、音声通知か画像通知かのいずれかを選択入力する。
Ｓ１００：音声通知を選択した場合、「着信者の電話番号を通知します。１.１２３４５６７８。２.２３４５６７８９。３.３４５６７８９０。４.４５６７８９０１。５.全て出力。どのＦＡＸを出力しますか」という内容の音声ガイダンスが流れるので、ＦＡＸ３０からいずれかを選択入力する。
Ｓ１１０：選択した分の内容が、ＦＡＸ３０に送信され、ＦＡＸ３０から印刷して出力される。
Ｓ１２０：Ｓ９０で画像通知を選択したときは、各電話番号と各ＦＡＸ受信画像の１枚目の縮小画像がＦＡＸ３０から印刷される。
Ｓ１３０：印刷された内容のうち、全文を印刷したい場合は、再度ＦＡＸ１０に電話をかけ直し、Ｓ７０からＳ９０に戻って音声通知で選択入力したＦＡＸの内容を受信する。
【００３５】
なお、全文受信した登録名のＦＡＸの内容は、自動的に受信画像メモリ１６から消去す
ることもできるし、「ＦＡＸ送信後、メモリを消去しますか」という音声ガイダンスを設けて、メモリを消去するか保存したままにしておくかを選択することもできる。
【００３６】
（実施の形態２）
次に、本発明の実施の形態２について、図４及び図５を用いて説明する。
【００３７】
図４は本実施の形態２に係るＦＡＸの構成を示すブロック図、図５は本実施の形態２の動作を示すフローチャートである。
【００３８】
図４において、本実施の形態２に係るＦＡＸは、メモリ受信機能付きＦＡＸ４０と、このＦＡＸ４０に接続されるＰＣ５０と、ＰＣ５０に１０／１００ＢＡＳＥ等のイーサネット（登録商標）ケーブルによりＬＡＮ接続されるＰＣ６０とよりなっている。なお、ＦＡＸ４０の構成は、図２に示したＦＡＸ１０の構成と同様であるので説明を省略する。
【００３９】
この実施の形態２の動作を、図５に基づいて説明する。
Ｓ２００：ＦＡＸ４０をメモリ受信モードに設定する。ここで、ＰＣ５０とＰＣ６０はともに電源ＯＮの状態とする。
Ｓ２１０：外部のＦＡＸ（図示せず）より１回目のＦＡＸ受信があると、ＦＡＸ４０の受信画像メモリ（図２の受信画像メモリ１６に相当、以下同じ）にその情報が登録、保存される。そのときの登録名を「登録Ｎｏ．１」、付随情報を「送信者：ＡＢＣ、電話番号：１２３４５６７８」として受信画像メモリに画像情報が保存される。
Ｓ２２０：ＦＡＸ４０が受信を終えると、待機中にＰＣ５０に受信内容を転送する。この転送モードとして、１．常に受信内容を転送するか、２．ＦＡＸ４０の受信画像メモリの残量が５０％を切った場合に転送するか、３．転送を全くしないか、のモードを設定し、いずれかを選択可能とするようにすることができる。ＰＣ６０は、受信ＦＡＸの電話番号（送信者）を通知し、ＰＣ５０の内容を参照することができる。なお、ＦＡＸ４０の受信画像メモリは、ＰＣ５０に受信内容を転送後、消去されるが、消去しないように設定することも可能である。
Ｓ２３０：外部のＦＡＸ（図示せず）より２回目のＦＡＸ受信があると、ＦＡＸ４０の受信画像メモリにその情報が登録、保存される。そのときの登録名を「登録Ｎｏ．２」、付随情報を「送信者：ＤＥＦ、電話番号：２３４５６７８９」として受信画像メモリに画像情報が保存される。
Ｓ２４０：ＦＡＸ４０が受信を終えると、待機中にＰＣ５０に受信内容を転送する。ＰＣ６０は、受信ＦＡＸの電話番号（送信者）を通知し、ＰＣ５０の内容を参照することができる。
Ｓ２５０：外部のＦＡＸ（図示せず）より３回目のＦＡＸ受信があると、ＦＡＸ４０の受信画像メモリにその情報が登録、保存される。そのときの登録名を「登録Ｎｏ．３」、付随情報を「送信者：ＧＨＩ、電話番号：３４５６７８９０」として受信画像メモリに画像情報が保存される。
Ｓ２６０：ＦＡＸ４０が受信を終えると、待機中にＰＣ５０に受信内容を転送する。ＰＣ６０は、受信ＦＡＸの電話番号（送信者）を通知し、ＰＣ５０の内容を参照することができる。
Ｓ２７０：外部のＦＡＸ（図示せず）より４回目のＦＡＸ受信があると、ＦＡＸ４０の受信画像メモリにその情報が登録、保存される。そのときの登録名を「登録Ｎｏ．４」、付随情報を「送信者：ＪＫＬ、電話番号：４５６７８９０１」として受信画像メモリに画像情報が保存される。
Ｓ２８０：ＦＡＸ４０が受信を終えると、待機中にＰＣ５０に受信内容を転送する。ＰＣ６０は、受信ＦＡＸの電話番号（送信者）を通知し、ＰＣ５０の内容を参照することができる。
Ｓ２９０：外部のＦＡＸ（図示せず）より５回目のＦＡＸ受信があると、ＦＡＸ４０の受
信画像メモリにその情報が同様に登録、保存される。このとき、ＰＣ５０の電源がＯＦＦにされているので、ＰＣ５０への転送は行われない。
Ｓ３００：外部のＦＡＸ（図示せず）より６回目のＦＡＸ受信があると、ＦＡＸ４０の受信画像メモリにその情報が同様に登録、保存される。このとき、ＰＣ５０の電源がＯＦＦにされているので、ＰＣ５０への転送は行われない。
Ｓ３１０：外部のＦＡＸ（図示せず）より７回目のＦＡＸ受信があると、ＦＡＸ４０の受信画像メモリにその情報が同様に登録、保存される。このとき、ＰＣ５０の電源がＯＦＦにされているので、ＰＣ５０への転送は行われない。
Ｓ３２０：ＦＡＸ４０の待機中にＰＣ５０の電源がＯＮになると、転送を全くしないモードにしていない限り、ＦＡＸ４０の受信画像メモリに蓄積されている５〜７回目の受信の内容がすべてＰＣ５０に転送される。ここで、ＰＣ６０がオンになっていると、ＰＣ６０は、受信ＦＡＸの電話番号（送信者）を通知し、ＰＣ５０の内容を参照することができる。
【００４０】
（実施の形態３）
次に、本発明の実施の形態３について、図６及び図７を用いて説明する。
【００４１】
図６は本実施の形態３に係るＦＡＸの構成を示すブロック図、図７は本実施の形態３の動作を示すフローチャートである。
【００４２】
図６において、本実施の形態３に係るＦＡＸは、メモリ受信機能付きＦＡＸ７０と、このＦＡＸ７０にＵＳＢ等により接続されるＰＣ８０と、ＰＣ８０にＡＤＳＬ（Ａｓｙｍｍｅｔｒｉｃ  Ｄｉｇｉｔａｌ  Ｓｕｂｓｃｒｉｂｅｒ  Ｌｉｎｅ）やＦＴＴＨ（Ｆｉｂｅｒ  ｔｏ  ｔｈｅ  Ｈｏｍｅ）等のブロードバンド回線により接続される外出先のＰＣ９０とよりなっている。なお、ＦＡＸ７０の構成は、図２に示したＦＡＸ１０の構成と同様であるので説明を省略する。
【００４３】
この実施の形態３における動作を、図７のフローチャートの各ステップにしたがって説明する。
Ｓ４００：まず、外出前にＦＡＸ７０をメモリ受信モードにする。ここで、ＦＡＸ７０の外出時の省電力を図るため、メモリ受信、着信に必要な電源以外はＯＦＦにする。
Ｓ４１０：外出中に、１回目のＦＡＸ受信があると、ＦＡＸ７０の受信画像メモリ（図２の受信画像メモリ１６に相当）にその情報が登録、保存される。そのときの登録名を「登録Ｎｏ．１」、付随情報を「送信者：ＡＢＣ、電話番号：１２３４５６７８」として受信画像メモリに画像情報が保存される。
Ｓ４２０：２回目のＦＡＸ受信があると、同様に、登録名を「登録Ｎｏ．２」、付随情報を「送信者：ＤＥＦ、電話番号：２３４５６７８９」として受信画像メモリに画像情報が保存される。
Ｓ４３０：３回目のＦＡＸ受信があると、同様に、登録名を「登録Ｎｏ．３」、付随情報を「送信者：ＧＨＩ、電話番号：３４５６７８９０」として受信画像メモリに画像情報が保存される。
Ｓ４４０：４回目のＦＡＸ受信があると、同様に、登録名を「登録Ｎｏ．４」、付随情報を「送信者：ＪＫＬ、電話番号：４５６７８９０１」として受信画像メモリに画像情報が保存される。
Ｓ４５０：以上により、ＦＡＸ７０の受信画像メモリには、４件分の情報が記録されたことになる。
Ｓ４５２：ここで、ＰＣ８０の電源が起動したとする。このＰＣ８０の電源の起動は、手動である場合もあるし、ＰＣ８０のソフトウエアにて１日のうち設定された回数起動して、処理終了後、自動的にＯＦＦするようにすることができる。
Ｓ４５４：ＰＣ８０が起動すると、ＰＣ８０のＦＡＸ処理ソフトが起動する。なお、外出
先のＰＣ９０から、ＦＡＸ７０に接続されている自宅内のＰＣ８０の設定を変更したい場合、例えばメール添付を選別するモードから全てを転送するモードに変更したり、メールアドレスを変更するような場合、ＰＣ８０宛に所定のフォーマットでメール送信すれば、このソフトの起動によりＰＣ８０がそのメールを受信し、設定変更が行われる。
Ｓ４６０：ＰＣ８０のＦＡＸ処理ソフトが起動したことを示す信号を受信すると、ＦＡＸ７０はメモリ受信モードから転送モードに変更し、ＰＣ８０にメモリ受信内容を転送する。
Ｓ４７０：ＦＡＸ７０はメモリ受信内容を転送後、メモリ受信内容を全て削除し、再びメモリ受信モードに変更する。
Ｓ４８０：Ｓ４６０においてＦＡＸ７０からメモリ受信内容を受け取ったＰＣ８０は、ＦＡＸ７０の受信画像メモリ内の内容をＰＣ８０内のハードディスク等のメモリ内にバックアップする。これは、ＦＡＸ７０のメモリ不足を補う上で重要な動作である。
Ｓ４９０：ＰＣ８０のメモリにバックアップした内容の中で、予め転送すべきものとして選別したものと合致する登録名あるいは電話番号があるかどうかを検索する。
Ｓ５００：合致したものがあれば、その受信ＦＡＸ画像をＴＩＦＦ形式等の圧縮画像ファイルにして、電子メールを作成する。なお、ＰＣ８０のメモリにバックアップする際に、ＴＩＦＦ形式等の圧縮画像ファイルにして保存しておくことが望ましい。
Ｓ５１０：作成した電子メールを、ＰＣ９０宛に送信する。
Ｓ５２０：送信後、ＰＣ８０の電源を自動的にＯＦＦにする。
Ｓ５３０：Ｓ４９０において、バックアップした内容の中で、予め転送すべきものとして選別したものと合致するものがない場合も、ＰＣ８０の電源を自動的にＯＦＦにする。
Ｓ５４０：Ｓ４８０において、バックアップした内容を全てを転送するように設定している場合は、新たにバックアップした内容全てをＴＩＦＦ形式等の圧縮画像ファイルにしてメールに添付する。１つのメールに添付する画像の容量が多い場合は、分割したメールにする。
Ｓ５５０：ＰＣ８０は、ＰＣ９０のメールアドレス宛にメールを送信する。
Ｓ５６０：メール送信後、ＰＣ８０の電源を自動的にＯＦＦにする。
【００４４】
なお、Ｓ５２０，Ｓ５３０，Ｓ５６０におけるＰＣ８０の自動電源ＯＦＦ機能は、ソフトウエアによりＰＣ８０を自動的に起動したときの処理であり、手動で立ち上げたり、操作中にはＰＣ８０は自動的にはＯＦＦにならない。
【産業上の利用可能性】
【００４５】
本発明は、付属する記憶装置の容量を有効利用して記憶装置の容量をむやみに大きくする必要がない画像通信装置として、ファクシミリ、特に、カラーファクシミリに有効に利用することができる。
【図面の簡単な説明】
【００４６】
【図１】本発明の実施の形態１に係るＦＡＸの構成を示すブロック図
【図２】ＦＡＸの基本構成を示す機能ブロック図
【図３】本発明の実施の形態１の動作を示すフローチャート
【図４】本発明の実施の形態２に係るＦＡＸの構成を示すブロック図
【図５】本発明の実施の形態２の動作を示すフローチャート
【図６】本発明の実施の形態３に係るＦＡＸの構成を示すブロック図
【図７】本発明の実施の形態３の動作を示すフローチャート
【符号の説明】
【００４７】
１０    メモリ受信機能付きＦＡＸ
１１    スキャナ
１２    画像信号処理装置
１３    ＣＰＵ（中央処理装置）
１４    回線制御部
１５    送信画像メモリ
１６    受信画像メモリ
１７    各種設定メモリ
１８    印字装置
１９    外部インターフェース
２０    交換局
３０    外部のＦＡＸ
４０    メモリ受信機能付きＦＡＸ
５０，６０    ＰＣ
７０    メモリ受信機能付きＦＡＸ
８０，９０    ＰＣ
【図１】
2005203839.tif 000003
【図２】
2005203839.tif 000004
【図３】
2005203839.tif 000005
【図４】
2005203839.tif 000006
【図５】
2005203839.tif 000007
【図６】
2005203839.tif 000008
【図７】
2005203839.tif 000009